(57)【要約】【課題】農地や果樹園に出没して食い荒す猪や鹿、猿などの野生動物による被害をはじめ、人間による果樹園や倉庫からの盗難を防止する侵入防止警報装置を提供する。【解決手段】作動ピン４を引き抜くとスイッチが入ってブザーが鳴り響く痴漢防止等に用いられるタイプの警報器２の一部に取り付け紐７を設け、その警報器２に組み合わされる作動ピン４に、端部に取り付け紐７を設けたワイヤー８の中ほどに中継用の固定リングネジ１０を介在させたワイヤー８を取り付けて成る侵入防止装置１とする。【選択図】図１
2005176811.tif 000002
【特許請求の範囲】
【請求項１】
野生動物や人間が特定区内に侵入するのを防止する警報装置であって、立木や支柱に取り付けられる固定部材を設けた警報器に、一端部に固定部材を設けた一定の長さのワイヤーの他方端部に取り付けた作動ピンを、前記警報器に組み合わせて成る構成を特徴とする野生動物や人間の侵入防止警報装置。
【請求項２】
ワイヤーが、二股状に２本のワイヤーで形成して成る請求項１に記載する野生動物や人間の侵入防止警報装置。
【請求項３】
固定部材が、取り付け紐で形成される請求項１又は請求項２に記載する野生動物や人間の侵入防止警報装置。
【請求項４】
ワイヤーに、中継部材として、頭部にリングが付いた固定リングネジを介在させて成る請求項１〜請求項３のいずれかに記載する野生動物や人間の侵入防止警報装置。
【請求項５】
警報器に防水カバーを組み合わせて成る請求項１又は請求項４に記載する野生動物や人間の侵入防止警報装置。
【発明の詳細な説明】
【技術分野】
【０００１】  本発明は、田や畑などの農地や果樹園に出没して食い荒す猪や猿、鹿などの野生動物による被害をはじめ、人間による果樹園や倉庫からの盗難を防止する侵入防止警報装置に関する。
【背景技術】
【０００２】  従来より、農地や果樹園に出没して農作物や果物を食い荒らす猪や猿、鹿などによる被害は年々増加してきており、その対策として、古くはカーバイトやプロパンガス等による一定の周期で爆発する装置をはじめ、農地の周りに電流を流す電気柵を張りめぐらすことにより、野生動物の侵入を防止する方法が採用されている。【０００３】  さらに、農地の周囲に立てた支柱に張り込み線を設け、その張り込み線に野生動物が触れると通電遮断部材が電源ユニットと配線との間から外れることにより、電源ユニットと配線を導通することで、着火発音部材に着火して爆発音を発生させる技術もある。（例えば、特許文献１参照）
【特許文献】特開平９−９８７０８号公報（第２−３頁、図１）
【発明の開示】
【発明が解決しようとする課題】
【０００４】  従来、古くから採用されているカーバイトやプロパンガス等の爆発音による方法は、最初は一定の効果を得ることができるが、爆発は一定周期であるため野生動物は次第に慣れることにより撃退効果は低くなり、設備投資が掛かる割りには有効な侵入防止装置として期待できなくなり最近は採用されなくなってきている。また周囲に電線を張りめぐらす方法は、雨で電線が濡れている時など人が触れると感電する危険もあり、さらに草木が伸びると電線がショートして通電しなくなるなどの欠点があった。【０００５】  さらに特開平９−９８７０８号公報に開示される技術は、農作地の周囲に立てた支柱に張りめぐらした張り込み線に野生動物が触れると、通電遮断部材と電源ユニットとが導通することで、着火発音部材に着火し爆発音を発生させることにより、野生動物の侵入を防いで撃退する一定の目的や効果を果たす技術である。【０００６】  しかし、本撃退装置における構成は、張り込み線に配線される通電遮断部材をはじめ電源ユニットを作動させる電源など構成部材は複雑でコスト高であり、加えて、着火発音部材は爆竹花火などの爆発剤とともに乾燥剤を配置しているとは言え、屋外に配置される中にあって雨など多い時期には湿気が多くなるため、前記の爆竹花火が肝心な時に不発になって目的を果たさないなど欠点がある撃退装置である。さらに爆発した後に新たに爆竹花火を取り替える際は、防水ケースや電極板やビニールケースその他の部材を一々取り外し組み立てるなど、コスト高はもとより維持管理の手間が複雑であるなどの不便や欠点が多い野生動物用撃退装置の技術である。
【課題を解決するための手段】
【０００７】  本発明は上記する課題を解決するために成されるものであって、請求項１においいては、野生動物や人間が農地や倉庫内に侵入するのを防止する警報装置とするために、立木や支柱に取り付けられる固定部材を取り付けた警報器に、一端部に固定部材を取り付けたワイヤー端部に取り付けた作動ピンを、前記警報器に組み合わせて成る侵入防止警報装置を構成することで、前記ワイヤーに野生動物が触れるとともに作動ピンが引き抜かれて警報器のブザーが鳴るようにする。【０００８】  請求項２においては、上記するワイヤーが二股状に２本取り付けることで、斜め左右方向に別けて設置できるようにする。【０００９】  請求項３においては、上記する警報器やワイヤーの固定部材を取り付け紐にすることにより、道具がなくても簡単に固定できるものとする。【００１０】  請求項４においては、上記するワイヤーの中継部材として、頭部にリングが付いた固定リングネジを介在させることにより、ワイヤーをくの字形や略コの字状に設定できるようにする。【００１１】  請求項５においては、警報器に防水カバーを組み合わせることにより、雨水が警報器内部に侵入するのを防止できる侵入防止警報装置とする。
【発明の効果】
【００１２】  本発明による侵入防止警報装置は、作動ピンを引き抜くとブザーが鳴り響く、主として痴漢防止用いられるタイプの警報器であり、かつそれに組み合わされる作動ピンには一定の長さの固定具付きワイヤーを取り付けた構成であるので、従来には見られないきわめてシンプルにして安価に提供できる侵入防止警報装置を構成している。【００１３】  さらに使用方法において、野生動物に対しては農作地等の周囲もしくはそれに通じる獣道の立ち木や任意に設けた支柱に本警報器を取り付けた後に、それに組み合わされる作動ピンに連結したワイヤーを動物が侵入しやすい農地周囲の立ち木や支柱に高さ２０〜４０センチていどの部位に張り止めると、目的とする野生動物がワイヤーに触れると、作動ピンが引き抜かれるに連動して大音量の警報ブザーが鳴り響くことで、野生動物の侵入防止を果たして農作物の被害を無くすことができる。また一度作動した後に再度設定する場合でも、警報器から引き抜かれた作動ピンをピン穴に差し戻すだけであるため、維持管理はもとより取り扱いも極めて簡単な侵入防止警報器を提供できる。【００１４】  また最近多発する人間による果物や野菜の盗難、倉庫から収穫米などの盗難に対しては、果樹園の場合は入口や木と木の間にワイヤーを４０〜５０センチ位の高さに張りめぐらすことで警報器を作動させられ、倉庫などの場合は入口の内側にワイヤーを張るだけで、人による不法侵入を防止することができる警報器であり、野生動物はもとより人間の不法侵入をも防止することが可能な従来には見られない侵入防止警報器である。
【発明を実施するための最良の形態】
【００１５】  本発明の警報装置は、警報器より作動ピンが引き抜かれることでブザーが鳴るタイプの前記作動ピンに、一定の長さのワイヤーを連結した端部に固定部材を設けて成る侵入防止警報装置を構成する。
【実施例１】
【００１６】  本発明による実施例１の侵入防止警報装置を、図１に示す一部省略した分離斜視図と図２の侵入防止警報装置の使用状態を示す参考図を参照して説明する。【００１７】  本実施例による侵入防止警報装置１における警報器２本体は、ピン穴３に差し込まれた作動ピン４を引き抜くとスイッチが入ってブザーが鳴り響く痴漢防止等に使用される電池を電源とするタイプの警報器２とし、その警報器２の一部に設けた連結部５には、固定部材６とする一定の長さの取り付け紐７を設けた警報器２であり、さらにその警報器２に組み合わされる作動ピン４には、細い金属線や強靭で伸縮のない紐又は強化合成樹脂繊維等による長さ約１０メートルていどで、表面が黒色又はつや消しのワイヤー８（以下、ワイヤーと称す）の端部に、前記同様の取り付け紐７を設けたワイヤー８の中ほどに、頭部にリング９を有する中継用の固定リングネジ１０（ヒートンとも称す）を介在させて実施例１の侵入防止警報装置１を構成する。【００１８】  実施例１に示す侵入防止警報装置１は以上のような構成であるので、本装置を設定する際は、まず農地１１や果樹園における野生動物１２の侵入防止に対しては、野生動物１２が侵入すると思われる場所の自然の立木１３もしくは複数の支柱１４を設けて後に、この警報器２本体を固定部材６とする取り付け紐７で縛りつけ、他方、警報器２に差し込まれた作動ピン４に連結されているワイヤー８は、地面より２０〜３０センチていどの高さに、中継用の固定リングネジ１０のリング９を介してワイヤー８をピーンと張った他方端部を、立木１３もしくは支柱１４に取り付け紐７をもって縛りつけると、図２に示すように野生動物１２がワイヤー８に当たるに連動して警報器２から作動ピン４が抜け、それととともに大音響のブザーが鳴り響き渡ることにより、野生動物１２の撃退及び侵入による農作物の被害を未然に防止できる。【００１９】  尚、人間による果物や農作物をはじめ倉庫からの収穫物の盗難防止に対しては図示していないが、野生動物に対すると同様に、人間が侵入すると思われる場所や戸の内側に本侵入防止警報装置１のワイヤー８を張りめぐらすことで、同様の侵入防止や盗難を事前に防ぐことが可能である。
【実施例２】
【００２０】  実施例２の侵入防止警報装置を、図３に示す一部省略した斜視図に基づいて説明する。
本実施例における侵入防止警報装置１は、警報器２本体は前記実施例１に示したタイプと同様であるが、それに組み合わされる作動ピン４に連結されるワイヤー８を２本取り付けた二股タイプとし、さらに２本のワイヤー８，８端部には、固定部材６として、それぞれ２本一組とする取り付け紐７，７を設けて実施例２の侵入防止警報装置１を構成する。【００２１】  本実施例における作動ピン４には、端部にそれぞれ固定部材とする取り付け紐７を設けた２本のワイヤー８，８を取り付けているので、同一方向に高さの異なるワイヤー８を張ることもできるし、また斜め左右方向に別けてワイヤー８を張りめぐらすことも可能である。【００２２】
【実施例３】  実施例３の侵入防止警報器を図４に示す一部欠損した拡大斜視図を参照して説明する。本実施例に示す警報器２は防水カバー１５を組み合わせたものであり、他の部材は前記実施例と同様であるので省略する。本実施例による警報器２には、下部のピン穴３側が開放した袋状で少し大きめの防水カバー１５を警報器２本体に被せて成る構成である。【００２３】  以上のような防水カバー１５を組み合わせた警報器２であるので、野外などに設置した際に雨が降っても警報器２の防水が可能であり、かつ少し大きめであるため警報ブザーの音量低下を妨げないものである。尚、警報器２本体を予め防水設計したタイプでもよく、その場合は防止カバー１５は不要である。【００２４】  本発明における侵入防止警報装置１における警報器２本体及びワイヤー８端部の固定部材６は、２本で一組とする取り付け紐７を採用しているが、これ以外にネジや釘、フックなどいずれの部材であっても警報器２やワイヤー８を固定できれば差し支えないものである。加えて、本発明の警報器２を作動する電源は電池によるタイプであるが、この電源も交流方式でも構わないものである。また警報器２は作動ピン４が引き抜かれた後に一定時間経るとブザーが鳴り止むタイプでもよく、いずれも特に限定するものではない。
【産業上の利用可能性】
【００２５】  警報器及びワイヤーに他の専用取り付け部材を設けることにより、車両の盗難や不法侵入の防止等にも適用できる。
【図面の簡単な説明】
【００２６】
【図１】  本発明における実施例１の侵入防止警報装置を示す一部省略した分離斜視図である。
【図２】  実施例１の侵入防止警報装置の使用状態を示す参考図である。
【図３】  実施例２の侵入防止警報装置を示す一部省略した斜視図である。
【図４】  実施例３の侵入防止警報装置の警報器を示す一部欠損した拡大斜視図である。
【符号の説明】
【００２７】  １  侵入防止警報装置
２  警報器
３  ピン穴
４  作動ピン
５  連結部
６  固定部材
７  取り付け紐
８  ワイヤー
９  リング
１０  固定リングネジ
１１  農地
１２  野生動物
１３  立木
１４  支柱
１５  防水カバー
【図１】
2005176811.tif 000003
【図２】
2005176811.tif 000004
【図３】
2005176811.tif 000005
【図４】
2005176811.tif 000006